【事件の表示】
　平成　３年特許願第２３１０１４号「スキャナ装置」拒絶査定に対する審判事件［平成　５年　２月２６日出願公開、特開平　５−　４６７２０］について、次のとおり審決する。
【結　論】
　本件審判の請求は、成り立たない。
【理　由】
１．手続の経緯
　
　本願は、平成３年８月１９日の出願であって、平成１３年４月１６日付けで拒絶査定がされ、これに対して、平成１３年５月２４日に審判請求がされた後、平成１３年６月２２日に手続補正がされたものである。
　
　
２．本願発明
　
　本願発明は、明細書及び図面の記載からみて、上記平成１３年６月２２日付け手続補正書で手続補正された請求項１に記載された次のとおりのもの（以下、「本願発明」という。）である。
　
「【請求項１】
　画像情報を入力する画像入力手段と、入力された画像データを一時蓄積するラスタデータ用メモリおよびこれを制御するディスプレイ、グラフィックコントローラを含み、前記画像入力手段から入力された画像データを表示するグラフィックディスプレイ装置と、その表示に対応した座標入力手段と、入力した前記画像情報を前記グラフィックコントローラにより移動、拡大、縮小、マスキングなどの編集機能をもつ編集画像表示手段と、前記グラフィックコントローラにより処理されてラスタデータメモリに一時蓄積された画像情報をラスタ・ベクタ変換あるいは文字データなどの別のデータと編集合成する手段とを備え、前記ラスタデータメモリ上の編集合成した画像データを出力することを特徴とする、デジタイズ機能をもつスキャナ装置。」
　
　
３．引用例
　
　これに対して、原査定の拒絶の理由に引用された特開平３−１５６６８５号公報（平成３年７月４日出願公開。以下、「引用例」という。）には、「画像入力装置」に関する発明において、図面と共に、以下の記載がある。
　
（ア）「本発明は、斯様な点に鑑みて為されたもので、情報ファイル装置とは別個に、画像情報の編集が可能な画像入力装置を提供するものである。」（第２頁上左欄１４行〜１６行）
　
（イ）「第１図に本発明装置の一実施例に係る画像情報ファイル装置の概略構成図を示す。
　（１）は本発明の一実施例の画像入力装置であるイメージスキャナで、原稿台（２）上に載置された原稿の画像を光学的に読み取る画像読み取り部（３）、画像読み取り部（３）で読み取られた画像情報を記憶する画像メモリ（４）、画像情報を編集処理する画像処理回路（５）、画像処理時に作業領域となるワークメモリ（６）、画像情報を表示する液晶ディスプレイやプラズマディスプレイ等の平面ディスプレイ（７）、該平面ディスプレイ（７）の表示制御を行う表示制御回路（８）、平面ディスプレイ（７）の表示画面の位置情報を入力する透明のシート状スイッチである入力手段としてのタッチパネル（９）、処理選択のためのキー入力回路（１０）、スキャナ（１）全体の制御を司る制御回路（１１）、ファイル装置本体との接続を取りファイル装置本体に画像情報を出力するインタフェイス（１２）からなる。」（第２頁上右欄１６行〜下左欄１４行）
　
（ウ）「原稿台（２）上に原稿を載置し、キー入力回路（１０）を操作して原稿サイズや解像度の設定を行い、更に画像読み取り部（３）による画像情報の読み取りを指示する。制御回路（１１）の制御の下、画像情報読み取り部（３）で読み取られた画像情報は、画像メモリ（４）に格納される。そして、表示制御回路（８）は画像メモリ（４）内の画像情報を読み出し、平面ディスプレイ（７）にその画像を表示する。」（第３頁上左欄１５行〜上右欄３行）
　
（エ）「制御回路（１１）はタッチパネル（９）から出力された位置情報で示される画像メモリ（４）中の画像情報に対して、キー入力回路（１０）から指示された編集処理に応じて、画像処理回路（５）において、所定の倍率で画像情報の拡大あるいは縮小、あるいは矩形領域内消去、あるいは矩形領域外消去といった処理を行う。（中略）特に画像情報の合成には、ワークメモリ（６）が使用される。」（第３頁上右欄１６行〜下左欄１９行）
　
（オ）「イメージスキャナ（１）において画像情報の編集がされた後、編集された画像情報の情報ファイル装置本体への送信指令がキー入力回路（１０）でされると、前述と同様に、制御回路（１１）はインタフェイス（１２）を介して主画像メモリ（１６）へと伝送する。」（第３頁下左欄２０行〜下右欄５行）
　
　上記（ア）〜（オ）の記載によると、引用例には、
「情報ファイル装置とは別個に、画像情報の編集が可能な画像入力装置を提供するものであって、
　原稿台（２）上に載置された原稿の画像を光学的に読み取る画像読み取り部（３）、画像読み取り部（３）で読み取られた画像情報を記憶する画像メモリ（４）、画像情報を編集処理する画像処理回路（５）、画像処理時に作業領域となるワークメモリ（６）、画像情報を表示する液晶ディスプレイやプラズマディスプレイ等の平面ディスプレイ（７）、該平面ディスプレイ（７）の表示制御を行う表示制御回路（８）、平面ディスプレイ（７）の表示画面の位置情報を入力する透明のシート状スイッチである入力手段としてのタッチパネル（９）、処理選択のためのキー入力回路（１０）、スキャナ（１）全体の制御を司る制御回路（１１）、ファイル装置本体との接続を取りファイル装置本体に画像情報を出力するインタフェイス（１２）からなり、
　原稿台（２）上に原稿を載置し、キー入力回路（１０）を操作して原稿サイズや解像度の設定を行い、更に画像読み取り部（３）による画像情報の読み取りを指示し、制御回路（１１）の制御の下、画像情報読み取り部（３）で読み取られた画像情報は、画像メモリ（４）に格納され、表示制御回路（８）は画像メモリ（４）内の画像情報を読み出し、平面ディスプレイ（７）にその画像を表示し、制御回路（１１）はタッチパネル（９）から出力された位置情報で示される画像メモリ（４）中の画像情報に対して、キー入力回路（１０）から指示された編集処理に応じて、画像処理回路（５）において、所定の倍率で画像情報の拡大あるいは縮小、あるいは矩形領域内消去、あるいは矩形領域外消去といった処理を行い、画像情報の合成には、ワークメモリ（６）が使用され、メージスキャナ（１）において画像情報の編集がされた後、制御回路（１１）はインタフェイス（１２）を介して主画像メモリ（１６）へと伝送する画像入力装置」の発明（以下、「引用例記載の発明」という。）が記載されている。
　
　
４．対比・判断
　
　本願発明と引用例記載の発明とを対比すると、
　
（あ）引用例記載の発明の「画像読み取り部（３）」は、原稿台（２）上に載置された原稿の画像を光学的に読み取る画像読み取り部（３）であるから、本願発明の「画像情報を入力する画像入力手段」に相当する。
　
（い）引用例記載の発明の「画像メモリ（４）」は、画像読み取り部（３）で読み取られた画像情報を記憶する画像メモリ（４）であり、画像読み取り部（３）で読み取られた画像情報のデータがラスタデータであることは当業者であれば明らかであるから、本願発明の「入力された画像データを一時蓄積するラスタデータ用メモリ」に相当する。
　
（う）本願発明の「これを制御するディスプレイ、グラフィックコントローラ」なる事項は、「ディスプレイ、グラフィックコントローラ」なる１つの構成要素でラスタデータ用メモリを制御する事項（以下、「前者」という。）、及び、「ディスプレイ」と「グラフィックコントローラ」なる２つの構成要素でラスタデータ用メモリを制御する事項（以下、「後者」という。）のいずれかである。
　後者の場合、ディスプレイ自体がメモリを制御し得ないことは明らかであって、本願明細書の段落【００１６】の
「さて、ステップ５２において、通常のスキャナ動作に必要なスキャナモードの設定が行われると、ステップ５３に移り、編集機能に必要な、取り込み画面のサイズ、フレームの数、切り貼り作業に必要な領域と、原点座標の設定などのラスタデータメモリ書込モード設定を行う。これらの入力は、グラフィックディスプレイ４３による表示とキーボードあるいはディスプレイ上のタッチパネル等の座標入力４２によって行われる。」
などの記載に鑑みて、後者は、ラスタデータ用メモリを制御するグラフィックコントローラ、及び、該グラフィックコントローラの設定入力表示を行うディスプレイを意味するものと認められる。
　これに対して、引用例記載の発明は、制御回路（１１）の制御の下、画像情報読み取り部（３）で読み取られた画像情報は、画像メモリ（４）に格納されると共に、制御回路（１１）はタッチパネル（９）から出力された位置情報で示される画像メモリ（４）中の画像情報に対して、キー入力回路（１０）から指示された編集処理に応じて、画像処理回路（５）において、所定の倍率で画像情報の拡大あるいは縮小、あるいは矩形領域内消去、あるいは矩形領域外消去といった処理を行っている。
　そして、タッチパネルの下にある平面ディスプレイが、タッチパネルを用いて使用者に位置情報を入力可能とする、位置設定のための入力表示を行うことは、当業者であれば明らかな事項である。
　このため、前者の場合には、引用例記載の発明の「制御回路（１１）」が、本願発明の「これを制御するディスプレイ、グラフィックコントローラ」に相当し、後者の場合には、引用例記載の発明の「平面ディスプレイ（７）」及び「制御回路（１１）」が、本願発明の「これを制御するディスプレイ、グラフィックコントローラ」に相当する。
　
（え）引用例記載の発明の「平面ディスプレイ（７）」は、画像情報を表示する液晶ディスプレイやプラズマディスプレイ等の平面ディスプレイ（７）であるから、本願発明の「前記画像入力手段から入力された画像データを表示するグラフィックディスプレイ装置」に相当する。
　
（お）引用例記載の発明の「タッチパネル（９）」は、平面ディスプレイ（７）の表示画面の位置情報を入力する透明シート状スイッチである入力手段としてのタッチパネル（９）であり、通常、位置情報は座標として取り扱われるから、本願発明の「その表示に対応した座標入力手段」に相当する。
　
（か）引用例記載の発明は、制御回路（１１）はタッチパネル（９）から出力された位置情報で示される画像メモリ（４）中の画像情報に対して、キー入力回路（１０）から指示された編集処理に応じて、画像処理回路（５）において、所定の倍率で画像情報の拡大あるいは縮小、あるいは矩形領域内消去、あるいは矩形領域外消去といった処理を行っているから、「入力した前記画像情報を前記グラフィックコントローラにより移動、拡大、縮小、マスキングなどの編集機能をもつ編集画像表示手段」を有している点で、本願発明と相違しない。
　
（き）引用例記載の発明は、平面ディスプレイ（７）の表示画面の位置情報を入力する透明のシート状スイッチである入力手段としてのタッチパネル（９）を有し、表示制御回路（８）は画像メモリ（４）内の画像情報を読み出し、平面ディスプレイ（７）にその画像を表示し、制御回路（１１）はタッチパネル（９）から出力された位置情報で示される画像メモリ（４）中の画像情報に対して、キー入力回路（１０）から指示された編集処理に応じて、画像処理回路（５）において、所定の倍率で画像情報の拡大あるいは縮小、あるいは矩形領域内消去、あるいは矩形領域外消去といった処理を行っているから、「デジタイズ機能をもつ」点で、本願発明と相違しない。
　
　したがって、本願発明と引用例記載の発明とは、
「画像情報を入力する画像入力手段と、入力された画像データを一時蓄積するラスタデータ用メモリおよびこれを制御するディスプレイ、グラフィックコントローラを含み、前記画像入力手段から入力された画像データを表示するグラフィックディスプレイ装置と、その表示に対応した座標入力手段と、入力した前記画像情報を前記グラフィックコントローラにより移動、拡大、縮小、マスキングなどの編集機能をもつ編集画像表示手段とを備える、デジタイズ機能をもつスキャナ装置。」である点で一致し、次の点で相違する。
　
（相違点）
　本願発明では、グラフィックコントローラにより処理されてラスタデータメモリに一時蓄積された画像情報をラスタ・ベクタ変換あるいは文字データなどの別のデータと編集合成する手段とを備え、前記ラスタデータメモリ上の編集合成した画像データを出力しているのに対して、引用例記載の発明は、このような構成を有していない点。
　
　そこで、相違点について、以下で、検討する。
　
　データの容量を圧縮するために、ラスタデータメモリに蓄積されたドットデータ形式の画像情報をベクトルデータ形式の画像情報に変化するラスタ・ベクタ変換する手段をスキャナ装置に設けることは周知な事項である（必要ならば、特開昭６３−４３７６号公報の第２頁上左欄８行〜上右欄６行などを参照）。
　また、編集合成を、入力した画像データと同様に文字データなどの別のデータとも合成可能とするために、文字データなどの別のデータとをラスタデータメモリ上で編集合成する手段を設け、該ラスタデータメモリから画像データを出力する構成とすることも周知な事項である（必要ならば、特開昭６０−２１７４６４号公報の第４頁上右欄１４行〜第５頁上右欄１０行などを参照）。
　このため、引用例記載の発明に周知な事項である、ラスタデータメモリに蓄積されたドットデータ形式の画像情報をベクトルデータ形式の画像情報に変化するラスタ・ベクタ変換する手段、あるいは、文字データなどの別のデータとをラスタデータメモリ上で編集合成する手段を設け、該ラスタデータメモリから画像データを出力する構成とすることによって、グラフィックコントローラにより処理されてラスタデータメモリに一時蓄積された画像情報をラスタ・ベクタ変換あるいは文字データなどの別のデータと編集合成する手段を備え、前記ラスタデータメモリ上の編集合成した画像データを出力するように構成することは、当業者であれば格別の創意を要することなくなし得る事項である。
　
　そして、本願発明の構成によりもたらされる効果も、引用例記載の発明及び周知な事項から当業者が容易に予想し得る程度のものであり、格別のものではない。
　
　
５．むすび
　
　したがって、本願発明は、引用例記載の発明及び周知な事項に基づいて、当業者が容易に発明をすることができたものであり、特許法第２９条第２項の規定により特許を受けることができない。
　
　よって、結論のとおり審決する。